(57)【要約】【課題】  電話帳情報をバックアップする際のユーザーの負担を軽減し、電話帳情報が消失してしまう可能性を小さくすることが可能な携帯電話端末を提供すること。【解決手段】  電話帳更新通知メール送信設定フラグ２０４がオン状態、かつ、自動送信設定フラグ２０５がオン状態に設定された状態で、ユーザーがキー入力部２１４を操作して、電話番号リストの新規登録または電話帳格納部２０３の格納されている電話番号リストの変更または削除を行うと、制御部２１１は、送信先メールアドレスエリア２０６に格納されているメールアドレスへ、電話帳情報の更新内容が記載された電話帳更新通知メールを自動的に送信する。【選択図】      図２
2005057477.tif 000002
【特許請求の範囲】
【請求項１】
少なくとも電話番号を示す電話番号情報と該電話番号に関連する対象を識別するための識別情報を有する電話番号リストを少なくとも１つ以上含む電話帳情報を格納する電話帳格納部と、
更新情報が入力される情報入力部と、
前記情報入力部に更新情報が入力されると該更新情報に基づいて前記電話帳情報を更新するとともに、更新した内容を示す更新情報バックアップ信号を送信する情報制御部とを含むことを特徴とする携帯電話端末。
【請求項２】
請求項１に記載の携帯電話端末において、
前記情報入力部は、新規電話番号リストが前記更新情報として入力され、
前記情報制御部は、前記情報入力部に新規電話番号リストが入力されると該新規電話番号リストを前記電話帳格納部に格納することによって前記電話帳情報を更新するとともに、前記新規電話番号リストを示す更新情報バックアップ信号を送信することを特徴とする携帯電話端末。
【請求項３】
請求項１に記載の携帯電話端末において、
前記情報入力部は、前記電話帳格納部に格納されている所望の電話番号リストが有する情報の変更内容を示す変更情報が前記更新情報として入力され、
前記情報制御部は、前記情報入力部に変更情報が入力されると該前記所望の電話番号リストが有する情報を前記変更情報に基づいて変更することによって前記電話帳情報を更新するとともに、変更した内容を示す更新情報バックアップ信号を送信することを特徴とする携帯電話端末。
【請求項４】
請求項３に記載の携帯電話端末において、前記情報制御部は、前記更新を行った際に、変更前の所望の電話番号リストと変更後の所望の電話番号リストとを示す更新情報バックアップ信号を送信することを特徴とする携帯電話端末。
【請求項５】
請求項１に記載の携帯電話端末において、
前記情報入力部は、前記電話帳格納部に格納されている所望の電話番号リストを削除するための削除情報が前記更新情報として入力され、
前記情報制御部は、前記情報入力部に削除情報が入力されると該削除情報に基づいて前記所望の電話番号リストを削除することによって前記電話帳情報を更新するとともに、削除された所望の電話番号リストを示す更新情報バックアップ信号を送信することを特徴とする携帯電話端末。
【請求項６】
請求項１ないし５のいずれかに記載の携帯電話端末と、前記携帯電話端末と通信ネットワークを介して接続可能な格納部とを含む電話帳情報のバックアップシステムであって、前記格納部は、前記更新情報バックアップ信号を格納することを特徴とする電話帳情報のバックアップシステム。
【請求項７】
電話番号を示す電話番号情報と該電話番号に関連する対象を識別するための識別情報とを有する電話番号リストを少なくとも１つ以上含む電話帳情報を格納する電話帳格納部とを備えた携帯電話端末の電話帳情報のバックアップ方法であって、
更新情報が入力される情報入力ステップと、
前記情報入力ステップで入力された更新情報に基づいて前記電話帳情報を更新する更新ステップと、
前記更新ステップで更新した内容を示す更新情報バックアップ信号を送信する送信ステップとを含むことを特徴とする携帯電話端末の電話帳情報のバックアップ方法。
【請求項８】
請求項７に記載の携帯電話端末の電話帳情報のバックアップ方法において、
前記情報入力ステップは、新規電話番号リストが前記更新情報として入力され、
前記更新ステップは、前記情報入力ステップで入力された新規電話番号リストを前記電話帳格納部に格納することによって前記電話帳情報を更新し、
前記送信ステップは、前記更新ステップに続いて、前記新規電話番号リストを示す更新情報バックアップ信号を送信することを特徴とする携帯電話端末の電話帳情報のバックアップ方法。
【請求項９】
請求項７に記載の携帯電話端末の電話帳情報のバックアップ方法において、
前記情報入力ステップは、前記電話帳格納部に格納されている所望の電話番号リストが有する情報の変更内容を示す変更情報が前記更新情報として入力され、
前記更新ステップは、前記所望の電話番号リストが有する情報を前記情報入力ステップで入力された変更情報に基づいて変更することによって前記電話帳情報を更新し、
前記送信ステップは、前記更新ステップに続いて、前記変更情報を示す更新情報バックアップ信号を送信することを特徴とする携帯電話端末の電話帳情報のバックアップ方法。
【請求項１０】
請求項９に記載の携帯電話端末の電話帳情報のバックアップ方法において、前記送信ステップは、前記更新ステップに続いて、変更前の所望の電話番号リストと変更後の所望の電話番号リストとを示す更新情報バックアップ信号を送信することを特徴とする携帯電話端末の電話帳情報のバックアップ方法。
【請求項１１】
請求項７に記載の携帯電話端末の電話帳情報のバックアップ方法において、
前記情報入力ステップは、前記電話帳格納部に格納されている所望の電話番号リストを削除するための削除情報が前記更新情報として入力され、
前記更新ステップは、前記情報入力ステップで入力された削除情報に基づいて前記所望の電話番号リストを削除することによって前記電話帳情報を更新し、
前記送信ステップは、前記更新ステップに続いて、削除された所望の電話番号リストを示す更新情報バックアップ信号を送信することを特徴とする携帯電話端末の電話帳情報のバックアップ方法。
【請求項１２】
請求項７に記載の携帯電話端末の電話帳情報のバックアップ方法において、
前記送信ステップで送信された更新情報バックアップ信号に基づいて前記更新情報バックアップ信号を格納部に格納する格納ステップをさらに含むことを特徴とする携帯電話端末の電話帳情報のバックアップ方法。
【発明の詳細な説明】
【技術分野】
【０００１】
本発明は、携帯電話端末、携帯電話端末の電話帳情報のバックアップ方法および電話帳情報のバックアップシステムに関する。
【背景技術】
【０００２】
携帯電話端末に格納されている電話帳データをバックアップするための手法については、多くの方法が考案され、かつ実現されている。
【０００３】
携帯電話端末の電話帳データをバックアップするための手法としては、携帯電話端末とパソコンとを専用データケーブルで接続し、専用ソフトウェアを用いることにより、電話帳データを携帯電話端末からパソコンに転送する方法が一般的である。
【０００４】
また、ケーブルを使用せず、携帯電話端末のインターネットアクセス機能を利用し、ネットワークサーバまたはパソコンに電話帳データを転送する技術がある。
【０００５】
例えば、特許文献１（特開２００２−１３２７１７号公報）には、携帯電話端末の電話帳データを所定の周期でサーバに転送する電話帳自動バックアップシステムが記載されている。
【０００６】
また、特許文献２（特開２００２−３３５３３４号公報）には、携帯電話端末の電話帳データをバックアップしたい場合、ユーザーが、携帯電話端末の所定のキーを操作して、電話帳管理サーバに対して電話帳データの登録要求を行い、その後、携帯電話端末が電話帳データをサーバに転送し、転送された電話帳データをサーバが保存する電話帳管理サーバが記載されている。
【０００７】
また、特許文献３（特開２００１−１７７６２４号公報）には、携帯電話端末の電話帳データをバックアップしたい場合に、ユーザーが携帯電話端末の所定のキーを操作して「電話帳のバックアップ」を選択し、「電話帳のバックアップ」が選択されると、携帯電話端末が、電話帳データをＣＳＶフォーマットデータ（カンマ区切り）に変換し、変換したデータを電子メールの形式でデータセンターまたはパソコンに転送する電話帳情報のデータバックアップ方法が記載されている。
【０００８】
また、特許文献４（特開２００２−５７８０７号公報）には、電話帳サーバにレプリカの電話帳データを設け、携帯電話端末の電話帳データをバックアップしたい場合に、ユーザーが携帯電話端末の所定のキーを操作して「センタに保存」を選択し、「センタに保存」が選択されると、携帯電話端末が、電話帳データを電話帳サーバに転送する携帯電話の電話帳管理システムが記載されている。
【特許文献１】特開２００２−１３２７１７号公報
【特許文献２】特開２００２−３３５３３４号公報
【特許文献３】特開２００１−１７７６２４号公報
【特許文献４】特開２００２−５７８０７号公報
【発明の開示】
【発明が解決しようとする課題】
【０００９】
特許文献１に記載の電話帳自動バックアップシステムでは、携帯電話端末の電話帳データをサーバに転送する周期をユーザーが設定しなければならない。
【００１０】
また、特許文献２ないし４に記載された電話帳データのバックアップ方法は、いずれもユーザーが自らの意志で所定の操作を行うことにより電話帳データのサーバまたはパソコンへの送信が実行されるので、電話帳データのバックアップを実行するための操作を、ユーザーが行わなければならない。
【００１１】
また、特許文献１ないし４に記載の技術では、電話帳データを更新した時点から更新した電話帳データをサーバまたはパソコンに送信する時点までの間に、携帯電話端末を紛失したり、不慮の事故で携帯電話端末の電話帳データが破壊してしまったりした場合、前回のバックアップ以降に更新された電話帳データが消失してしまうという問題が生じる。
【００１２】
また、特許文献１ないし４に記載の技術では、最新の電話帳データを、サーバまたはパソコンへ送信するだけなので、携帯電話端末の電話帳への登録操作を誤って電話帳データを消去してしまった場合、誤って消去してしまった電話帳データを復元できないという問題が生じる。
【００１３】
本発明の目的は、電話帳情報をバックアップする際のユーザーの負担を軽減し、電話帳情報が消失してしまう可能性を小さくすることが可能な携帯電話端末、携帯電話端末の電話帳情報のバックアップ方法および電話帳情報のバックアップシステムを提供することである。
【課題を解決するための手段】
【００１４】
上記目的を達成するために、本発明の携帯電話端末は、少なくとも電話番号を示す電話番号情報と該電話番号に関連する対象を識別するための識別情報を有する電話番号リストを少なくとも１つ以上含む電話帳情報を格納する電話帳格納部と、更新情報が入力される情報入力部と、前記情報入力部に更新情報が入力されると該更新情報に基づいて前記電話帳情報を更新するとともに、更新した内容を示す更新情報バックアップ信号を送信する情報制御部とを含むことを特徴とする。
【００１５】
上記の発明によれば、情報入力部に更新情報が入力されると該更新情報に基づいて電話帳格納部に格納されている電話帳情報を更新するとともに、更新した内容を示す更新情報バックアップ信号を送信するので、電話帳情報を更新するたびに、更新した内容を外部の格納部に格納することが可能となり、更新した内容を外部の格納部に格納する際にユーザーに更新した内容を送信させる動作を強いることなく、電話帳情報が更新されてから、更新した内容を外部の格納部に格納するまでの時間を短くでき、外部の格納部に格納する前に更新した内容が消失してしまう可能性を小さくできる。
【００１６】
また、更新した内容を電話番号リスト単位で１件ずつ転送すれば、例えば、電話帳格納部に格納されている電話帳情報を一括して外部の格納部に転送する場合に比べて、更新情報の転送時間を短くでき、転送中に電話帳情報がノイズ等の影響を受けてしまう可能性を小さくできる。
【００１７】
また、本発明の携帯電話端末は、前記情報入力部は、新規電話番号リストが前記更新情報として入力され、前記情報制御部は、前記情報入力部に新規電話番号リストが入力されると該新規電話番号リストを前記電話帳格納部に格納することによって前記電話帳情報を更新するとともに、前記新規電話番号リストを示す更新情報バックアップ信号を送信することを特徴とする。
【００１８】
上記の発明によれば、上記と同様の効果を奏するとともに、新規電話番号リストを電話帳格納部に格納するたびに、その新規電話番号リストを自動的に外部の格納部に格納することが可能となる。
【００１９】
また、本発明の携帯電話端末は、前記情報入力部は、前記電話帳格納部に格納されている所望の電話番号リストが有する情報の変更内容を示す変更情報が前記更新情報として入力され、前記情報制御部は、前記情報入力部に変更情報が入力されると該前記所望の電話番号リストが有する情報を前記変更情報に基づいて変更することによって前記電話帳情報を更新するとともに、変更した内容を示す更新情報バックアップ信号を送信することを特徴とする。
【００２０】
上記の発明によれば、上記と同様の効果を奏するとともに、電話帳格納部に格納されている所望の電話番号リストの内容を変更情報に基づき変更するたびに、その変更情報を自動的に外部の格納部に格納することが可能となる。
【００２１】
また、本発明の携帯電話端末は、前記情報制御部は、前記更新を行った際に、変更前の所望の電話番号リストと変更後の所望の電話番号リストとを示す更新情報バックアップ信号を送信することを特徴とする。
【００２２】
上記の発明によれば、変更前の所望の電話番号リストと変更後の所望の電話番号リストとを前記外部の格納部に格納させることが可能になるので、例えば、電話帳格納部への電話番号リストの更新操作を間違えて電話番号リストの内容を誤った内容に変更してしまった場合でも、外部の格納部から変更前の電話番号リストを取得することが可能になる。
【００２３】
また、本発明の携帯電話端末は、前記情報入力部は、前記電話帳格納部に格納されている所望の電話番号リストを削除するための削除情報が前記更新情報として入力され、前記情報制御部は、前記情報入力部に削除情報が入力されると該削除情報に基づいて前記所望の電話番号リストを削除することによって前記電話帳情報を更新するとともに、削除された所望の電話番号リストを示す更新情報バックアップ信号を送信することを特徴とする。
【００２４】
上記の発明によれば、削除された所望の電話番号リストを外部の格納部に格納させることが可能となるので、例えば、電話帳格納部への電話番号リストの更新操作を間違えて電話番号リストを削除してしまった場合でも、外部の格納部から誤って削除してしまった電話番号リストを取得することが可能になる。
【００２５】
また、本発明の電話帳情報のバックアップシステムは、前記携帯電話端末と、前記携帯電話端末と通信ネットワークを介して接続可能な格納部とを含む電話帳情報のバックアップシステムであって、前記格納部は、前記更新情報バックアップ信号を格納することを特徴とする。
【００２６】
上記の発明によれば、上記と同様の効果を奏する電話帳情報のバックアップシステムを提供することが可能となる。
【００２７】
また、本発明の携帯電話端末の電話帳情報のバックアップ方法は、電話番号を示す電話番号情報と該電話番号に関連する対象を識別するための識別情報とを有する電話番号リストを少なくとも１つ以上含む電話帳情報を格納する電話帳格納部とを備えた携帯電話端末の電話帳情報のバックアップ方法であって、更新情報が入力される情報入力ステップと、前記情報入力ステップで入力された更新情報に基づいて前記電話帳情報を更新する更新ステップと、前記更新ステップで更新した内容を示す更新情報バックアップ信号を送信する送信ステップとを含むことを特徴とする。
【００２８】
上記の発明によれば、電話帳格納部に格納されている電話帳情報が情報入力ステップで入力された更新情報に基づいて更新するのに続いて、更新した内容を示す電話帳情報バックアップ信号を送信するので、電話帳情報を更新するたびに更新した内容を外部の格納部に格納することが可能となり、更新した内容を外部の格納部に格納する際にユーザーに更新した内容を送信させる動作を強いることなく、電話帳情報が更新されてから、更新した内容を外部の格納部に格納するまでの時間を短くでき、外部の格納部に格納する前に更新した内容が消失してしまう可能性を小さくできる。
【００２９】
また、本発明の携帯電話端末の電話帳情報のバックアップ方法は、前記情報入力ステップは、新規電話番号リストが前記更新情報として入力され、前記更新ステップは、前記情報入力ステップで入力された新規電話番号リストを前記電話帳格納部に格納することによって前記電話帳情報を更新し、前記送信ステップは、前記更新ステップに続いて、前記新規電話番号リストを示す更新情報バックアップ信号を送信することを特徴とする。
【００３０】
上記の発明によれば、上記と同様の効果を奏するとともに、新規電話番号リストを電話帳格納部に格納するたびに、その新規電話番号リストを自動的に外部の格納部に格納することが可能となる。
【００３１】
また、本発明の携帯電話端末の電話帳情報のバックアップ方法は、前記情報入力ステップは、前記電話帳格納部に格納されている所望の電話番号リストが有する情報の変更内容を示す変更情報が前記更新情報として入力され、前記更新ステップは、前記所望の電話番号リストが有する情報を前記情報入力ステップで入力された変更情報に基づいて変更することによって前記電話帳情報を更新し、前記送信ステップは、前記更新ステップに続いて、前記変更情報を示す更新情報バックアップ信号を送信することを特徴とする。
【００３２】
上記の発明によれば、上記と同様の効果を奏するとともに、電話帳格納部に格納されている所望の電話番号リストの内容を変更情報に基づき変更するたびに、その変更情報を自動的に外部の格納部に格納することが可能となる。
【００３３】
また、本発明の携帯電話端末の電話帳情報のバックアップ方法は、前記送信ステップは、前記更新ステップに続いて、変更前の所望の電話番号リストと変更後の所望の電話番号リストとを示す更新情報バックアップ信号を送信することを特徴とする。
【００３４】
上記の発明によれば、変更前の所望の電話番号リストと変更後の所望の電話番号リストとを示す更新情報バックアップ信号を送信するので、例えば、電話帳格納部への電話番号リストの更新操作を間違えて電話番号リストの内容を誤った内容に変更してしまった場合でも、外部の格納部から変更前の電話番号リストを取得することが可能になる。
【００３５】
また、本発明の携帯電話端末の電話帳情報のバックアップ方法は、前記情報入力ステップは、前記電話帳格納部に格納されている所望の電話番号リストを削除するための削除情報が前記更新情報として入力され、前記更新ステップは、前記情報入力ステップで入力された削除情報に基づいて前記所望の電話番号リストを削除することによって前記電話帳情報を更新し、前記送信ステップは、前記更新ステップに続いて、削除された所望の電話番号リストを示す更新情報バックアップ信号を送信することを特徴とする。
【００３６】
上記の発明によれば、削除された所望の電話番号リストを示す更新情報バックアップ信号を送信するので、例えば、電話帳格納部への電話番号リストの更新操作を間違えて電話番号リストを削除してしまった場合でも、外部の格納部から誤って削除してしまった電話番号リストを取得することが可能になる。
【００３７】
また、本発明の携帯電話端末の電話帳情報のバックアップ方法は、前記送信ステップで送信された更新情報バックアップ信号に基づいて前記更新情報バックアップ信号を格納部に格納する格納ステップをさらに含むことを特徴とする。
【００３８】
上記の発明によれば、上記と同様の効果を奏する携帯電話端末の電話帳情報のバックアップシステムを提供することが可能となる。
【発明の効果】
【００３９】
本発明によれば、情報入力部に更新情報が入力されると該更新情報に基づいて電話帳格納部に格納されている電話帳情報を更新するとともに、更新した内容を示す更新情報バックアップ信号を送信するので、電話帳情報を更新するたびに、更新した内容を外部の格納部に格納することが可能となり、更新した内容を外部の格納部に格納する際にユーザーに更新した内容を送信させる動作を強いることなく、電話帳情報が更新されてから、更新した内容を外部の格納部に格納するまでの時間を短くでき、外部の格納部に格納する前に更新した内容が消失してしまう可能性を小さくできる。
【００４０】
また、更新した内容を電話番号リスト単位で１件ずつ転送すれば、例えば、電話帳格納部に格納されている電話帳情報を一括して外部の格納部に転送する場合に比べて、更新情報の転送時間を短くでき、転送中に電話帳情報がノイズ等の影響を受けてしまう可能性を小さくできる。
【００４１】
また、変更前の所望の電話番号リストと変更後の所望の電話番号リストとを示す更新情報バックアップ信号を送信するので、変更前の所望の電話番号リストと変更後の所望の電話番号リストとを外部の格納部に格納することが可能となり、例えば、電話帳格納部への電話番号リストの更新操作を間違えて電話番号リストの内容を誤った内容に変更してしまった場合でも、外部の格納部から変更前の電話番号リストを取得することが可能になる。
【００４２】
また、削除された所望の電話番号リストを示す更新情報バックアップ信号を送信するので、削除された所望の電話番号リストを外部の格納部に格納することが可能となり、例えば、電話帳格納部への電話番号リストの更新操作を間違えて電話番号リストを削除してしまった場合でも、外部の格納部から誤って削除してしまった電話番号リストを取得することが可能になる。
【発明を実施するための最良の形態】
【００４３】
以下、本発明の一実施例を図面を参照して説明する。
【００４４】
図１は、本発明の一実施例の携帯電話端末の電話帳情報のバックアップシステムを示したブロック図である。
【００４５】
図１において、携帯電話端末の電話帳情報のバックアップシステムは、携帯電話端末１０１と、基地局１０２と、インターネット１０３と、パーソナルコンピュータ（以下「パソコン」と称する）１０４とを含む。
【００４６】
携帯電話端末１０１は、少なくとも、電話番号を示す電話番号情報と該電話番号と関連する対象（例えば、該電話番号を使用している人または会社）を識別するための識別情報（例えば、該電話番号を使用している人の名前）とを有する電話番号リストを少なくとも１つ以上含む電話帳情報を格納している。なお、電話帳情報は、複数の電話番号リストからなる。
【００４７】
携帯電話端末１０１は、基地局１０２と無線通信を行うことにより、音声およびその他のデータ（情報）を送受信することができる。基地局１０２は、インターネット１０３を介してパソコン１０４と接続している。パソコン１０４は、外部の格納部としての格納部１０４ａを含む。
【００４８】
携帯電話端末１０１は、基地局１０２とインターネット１０３とからなる通信ネットワークを介して、パソコン１０４と電子メールを送受信することができる。また、携帯電話端末１０１は、基地局１０２とインターネット１０３とからなる通信ネットワークを介して、パソコン１０４内の格納部１０４ａに、携帯電話端末１０１が格納している電話番号リストを格納することができる。また、携帯電話端末１０１は、基地局１０２とインターネット１０３とからなる通信ネットワークを介して、パソコン１０４内の格納部１０４ａから電話番号リストを取得することができる。
【００４９】
なお、本実施例では、携帯電話端末１０１が格納している電話番号リストを格納するための外部の格納部として、パソコン１０４内の格納部１０４ａを用いているが、外部の格納部はパソコン内の格納部に限るものではなく、適宜変更可能である。例えば、外部の格納部は、インターネット等の通信ネットワークに接続されたサーバー内の格納部でもよい。
【００５０】
図２は、携帯電話端末１０１の一例を示したブロック図である。
【００５１】
図２において、携帯電話端末１０１は、記憶部２０２と、制御部２１１と、無線送受信部２１２と、表示部２１３と、キー入力部２１４と、アンテナ２１５とを含む。
【００５２】
記憶部２０２は、プログラムおよび各種のデータを格納する。具体的には、記憶部２０２は、電話帳格納部２０３と、電話帳更新通知メール送信設定フラグ２０４と、自動送信設定フラグ２０５と、送信先メールアドレスエリア２０６と、更新前データ退避エリア２０７と、電話帳更新通知メール作成エリア２０８と、プログラムエリア２０９と、ワークエリア２１０とを含む。
【００５３】
電話帳格納部２０３は、少なくとも、電話番号を示す電話番号情報と該電話番号と関連する対象（例えば、該電話番号を使用している人または会社）を識別するための識別情報（例えば、該電話番号を使用している人の名前）とを有する電話番号リストを少なくとも１つ以上含む電話帳情報を格納する。なお、本実施例では、電話帳情報は、複数の電話番号リストからなる。例えば、電話帳格納部２０３は、識別情報ごとの作成された複数の電話番号リストを格納することが可能である。
【００５４】
なお、本実施例では、１件の電話番号リストは、電話番号を示す電話番号情報と、この電話番号を使用している使用者の名前を示す名前情報（識別情報）と、この使用者が使用している電子メールアドレスを示すメールアドレス情報とを関連づけた情報である。なお、１件の電話番号リストに含まれる電話番号情報は、複数種類存在してもよい。また、１件の電話番号リストに含まれるメールアドレス情報は、複数種類存在してもよい。
【００５５】
なお、電話帳格納部２０３へ新規の電話番号リストを格納したり、電話帳格納部２０３に格納されている電話帳情報の中の所望の電話番号リストの内容（電話番号情報または名前情報またはメールアドレス情報）を変更したり、電話帳格納部２０３に格納されている電話帳情報の中の所望の電話番号リストを削除したりすることを含む電話帳情報の更新は、キー入力部２１４が操作されることによって入力される更新情報に基づいて制御部２１１によって実行される。
【００５６】
電話帳更新通知メール送信設定フラグ２０４は、少なくともキー入力部２１４から入力される更新情報に基づいて更新された電話帳情報の更新内容を示す更新情報バックアップ信号としての電話帳更新通知メールの送信を行うか否かが設定されるフラグである。
【００５７】
なお、キー入力部２１４から入力される更新情報とは、電話帳格納部２０３に新規の電話番号リストを格納する場合には電話帳格納部２０３へ新規に格納される電話番号リストを示し、電話帳格納部２０３に格納されている電話帳情報の中の所望の電話番号リストの内容を変更する場合には変更後の内容を示し、電話帳格納部２０３に格納されている電話帳情報の中の所望の電話番号リストを削除する場合には削除する電話番号リストを示す。
【００５８】
電話帳更新通知メール送信設定フラグ２０４は、キ−入力部２１４が操作されることによって、オン状態とオフ状態のいずれかに設定される。
【００５９】
本実施例では、電話帳更新通知メール送信設定フラグ２０４がオン状態のとき、制御部２１１は、電話帳更新通知メールを送信することを可能にし、電話帳更新通知メール送信設定フラグ２０４がオフ状態のとき、制御部２１１は、電話帳更新通知メールの送信を行わない。よって、例えば、携帯電話端末１０１の電源電圧が低下しており、電話帳更新通知メールの実行による電源電圧の低下を防止したいときなどには、電話帳更新通知メール送信設定フラグ２０４をオフ状態にすればよい。
【００６０】
なお、例えば、電話帳更新通知メールの送信を禁止する必要がない場合には、本実施例において、電話帳更新通知メール送信設定フラグ２０４を省略してもよい。
【００６１】
自動送信設定フラグ２０５は、電話帳更新通知メールの自動送信を行うか否かが設定されるフラグである。自動送信設定フラグ２０５は、キ−入力部２１４が操作されることによって、オン状態とオフ状態のいずれかの設定される。
【００６２】
本実施例では、自動送信設定フラグ２０５がオン状態のとき、制御部２１１は、電話帳更新通知メールを自動送信し、自動送信設定フラグ２０５がオフ状態のとき、制御部２１１は、電話帳更新通知メールをパソコン１０４内の格納部１０４ａに送信するか否かの選択を促す表示、例えば「電話帳更新通知メールを送信しますか？」などの表示を表示部２１３に表示させる。
【００６３】
制御部２１１は、キー入力部２１４が操作されることによって電話帳更新通知メールをパソコン１０４内の格納部１０４ａに送信することが選択された場合には、電話帳更新通知メールをパソコン１０４内の格納部１０４ａへ送信する。
【００６４】
制御部２１１は、キー入力部２１４が操作されることによって電話帳更新通知メールをパソコン１０４内の格納部１０４ａに送信しないことが選択された場合には、電話帳更新通知メールをパソコン１０４内の格納部１０４ａに送信しない。
【００６５】
なお、例えば、電話帳更新通知メールを自動送信するか否かの確認をする必要がない場合には、本実施例において、自動送信設定フラグ２０５を省略してもよい。
【００６６】
送信先メールアドレスエリア２０６は、電話帳更新通知メールの宛先を示す電子メールアドレスが格納され、本実施例では、格納部１０４ａを有するパソコン１０４に付与されている電子メールアドレスが格納される。
【００６７】
更新前データ退避エリア２０７は、電話帳格納部２０３に格納されている電話帳情報の中で、キー入力部２１４の操作によって内容を編集（変更または削除）することが指定された電話番号リストを格納する。
【００６８】
電話帳更新通知メール作成エリア２０８は、制御部２１１が電話帳更新通知メールを作成するために使用される領域である。
【００６９】
プログラムエリア２０９は、携帯電話端末１０１の動作を規定するプログラムを格納し、ここに格納されたプログラムに基づいて制御部２１１が種々の処理を実行していく。ワークエリア２１０は、制御部２１１が演算等行う際に使用される領域である。
【００７０】
無線送受信部２１２は、アンテナ２１５を介して基地局１０２と無線通信を行う。例えば、無線送受信部２１２は、制御部２１１が作成した電話帳更新通知メールを、アンテナ２１５を介して基地局１０２に送信する。さらに言えば、無線送受信部２１２は、制御部２１１が作成した電話帳更新通知メールを、アンテナ２１５と基地局１０２とインターネット１０３とを介して、格納部１０４ａを含むパソコン１０４宛てに送信する。
【００７１】
表示部２１３は、ユーザーに対して種々のメニュー表示などの表示を行う。例えば、表示部２１３は、電話帳格納部２０３に格納されている電話帳情報を更新するための電話帳更新メニューを表示する。また、表示部２１３は、電話帳格納部２０３に新たな談話番号リストを格納するための新規登録用画面を表示する。また、表示部２１３は、電話帳格納部２０３に格納されている電話番号リストを表示する。また、表示部２１３は、編集用として選択された電話番号リストを編集するための編集用画面を表示する。また、表示部２１３は、ユーザーに対して電話帳更新通知メール送信を行うか否かの選択を促す表示を表示する。
【００７２】
また、表示部２１３は、電話帳更新通知メール送信設定フラグ２０４の状態を設定するための電話帳更新通知メール設定メニューを表示する。また、表示部２１３は、電話帳更新通知メールの送信先メールアドレスを入力するための送信先メールアドレス入力画面を表示する。また、表示部２１３は、自動送信設定フラグ２０５の状態を設定するための自動送信設定メニューを表示する。
【００７３】
情報入力部としてのキー入力部２１４は、ユーザーに操作されることによって種々の情報が入力され、入力された情報を制御部２１１に供給する。なお、情報入力部は、キー入力部に限るものではなく、適宜変更可能である。
【００７４】
例えば、キー入力部２１４は、ユーザーに操作されることによって、電話帳格納部２０３に格納されている電話帳情報を更新するための更新情報が入力される。
【００７５】
具体的には、電話帳格納部２０３に新規の電話番号リストを格納する場合には、キー入力部２１４は、電話帳格納部２０３に格納されている電話帳情報を更新するための更新情報として、新規の電話番号リストが入力される。
【００７６】
また、電話帳格納部２０３に格納されている電話帳情報の中の所望の電話番号リストの内容を変更する場合には、キー入力部２１４は、更新情報として、所望の電話番号リストの変更後の内容が入力される。また、電話帳格納部２０３に格納されている電話帳情報の中の所望の電話番号リストの内容を削除する場合には、キー入力部２１４は、更新情報として、該所望の電話番号リストを削除するための情報が入力される。
【００７７】
また、キー入力部２１４は、ユーザーに操作されることによって、電話帳更新通知メールをパソコン１０４内の格納部１０４ａに送信するか否かのいずれかを選択するための選択情報が入力される。
【００７８】
情報制御部としての制御部２１１は、記憶部２０２と、無線送受信部２１２と、表示部２１３およびキー入力部２１４と接続し、携帯電話端末１０１の動作を制御する。
【００７９】
例えば、制御部２１１は、ユーザーが、キー入力部２１４を操作して、新しい電話番号リストを電話帳格納部２０３に格納するための入力を行うと、キー入力部２１４から入力された新しい電話番号リストを電話帳格納部２０３に格納する。
【００８０】
また、制御部２１１は、ユーザーが、キー入力部２１４を操作して、新規の電話番号リストを電話帳格納部２０３に格納するための入力を行うと、入力された新規の電話番号リストを電話帳格納部２０３に格納する。
【００８１】
また、制御部２１１は、ユーザーが、キー入力部２１４を操作して、電話帳格納部２０３に格納されている特定の１つの電話番号リストの内容を変更するための入力を行うと、電話帳格納部２０３に格納されている特定の１つの電話番号リストの内容を、キー入力部２１４から入力された内容に基づいて変更する。
【００８２】
また、制御部２１１は、ユーザーが、キー入力部２１４を操作して、電話帳格納部２０３に格納されている特定の１つの電話番号リストを削除するための入力を行うと、電話帳格納部２０３に格納されている特定の１つの電話番号リストを削除する。
【００８３】
また、制御部２１１は、電話帳格納部２０３に格納されている電話帳情報がキー入力部２１４から入力される更新情報に基づいて更新された際、少なくとも更新情報をパソコン１０４内の格納部１０４ａに格納させるための電話帳更新通知メールを、パソコン１０４内の格納部１０４ａに送信する。
【００８４】
また、制御部２１１は、新規の電話番号リストが電話帳格納部２０３に格納された際、入力された新規の電話番号リストをパソコン１０４内の格納部１０４ａに格納させるための電話帳更新通知メールを、パソコン１０４内の格納部１０４ａに送信する。
【００８５】
また、制御部２１１は、電話帳格納部２０３に格納されている電話番号リストがキー入力部２１４から入力される更新情報に基づいて更新された際、更新された電話番号リストと更新前の電話番号リストとをパソコン１０４内の格納部１０４ａに格納させるための電話帳更新通知メールを、パソコン１０４内の格納部１０４ａに送信する。
【００８６】
また、制御部２１１は、電話帳格納部２０３に格納されている電話番号リストがキー入力部２１４から入力される削除情報に基づいて削除された際、削除された電話番号リストをパソコン１０４内の格納部１０４ａに格納させるための電話帳更新通知メールを、パソコン１０４内の格納部１０４ａに送信する。
【００８７】
次に、動作の概要を説明する。
【００８８】
電話帳更新通知メール送信設定フラグ２０４がオン状態、かつ、自動送信設定フラグ２０５がオン状態に設定された状態で、ユーザーがキー入力部２１４を操作して、電話番号リストの新規登録または電話帳格納部２０３の格納されている電話番号リストの変更または削除を行うと、制御部２１１は、送信先メールアドレスエリア２０６に格納されているメールアドレスへ、電話帳情報の更新内容が記載された電話帳更新通知メールを自動的に送信する。
【００８９】
なお、本実施例では、電話番号リストの変更または削除を行った際に自動的に送信される電話帳更新通知メールに含まれる更新情報は、更新前の電話番号リストを含むため、電話番号リストの変更または削除を実行する前に、制御部２１１は、更新前データ退避エリア２０７に更新前の電話番号リストを格納し、更新前データ退避エリア２０７に格納された更新前の電話番号リストを含んだ電話帳更新通知メールを、電話帳更新通知メール作成エリア２０８を使って作成する。
【００９０】
なお、電話帳更新通知メール送信設定フラグ２０４がオン状態、自動送信設定フラグ２０５がオフ状態の場合は、制御部２１１は、電話帳更新通知メールの送信を行うか否かについての確認メッセージを表示部２１３に表示させて、ユーザーに対して電話帳更新通知メールの送信を行うか否かの選択を促す。
【００９１】
電話帳更新通知メール送信設定フラグ２０４がオフ状態の場合には、制御部２１１は、電話帳更通知メールの送信は行わない。なお、電話帳更新通知メール送信設定フラグ２０４と自動送信設定フラグ２０５の状態は、キー入力部２１４を操作することにより、ユーザーが予め設定する。
【００９２】
次に、動作を説明する。
【００９３】
図３は、図１および図２に示した携帯電話端末１０１の動作を説明するためのフローチャートである。
【００９４】
以下、図３を参照して、携帯電話端末１０１の動作を説明する。
【００９５】
ユーザーの入力操作はキー入力部２１４から行い、ユーザーへのメニューなどの表示は表示部２１３で行われる。
【００９６】
ユーザーが、キー入力部２１４を操作して、電話帳更新メニューを表示部２１３に表示させるための入力を実行すると、制御部２１１は、電話帳更新メニューを表示部２１３に表示させる（ステップＳ３０１）。なお、表示部２１３に表示される電話帳更新メニューは、新規登録と、電話帳格納部２０３に格納されている電話番号リストの変更と、電話帳格納部２０３に格納されている電話番号リストの削除とのいずれかを、ユーザーに選択させるための表示である。
【００９７】
ユーザーは、キー入力部２１４を操作することによって、新規登録と、電話帳格納部２０３に格納されている電話番号リストの内容変更と、電話帳格納部２０３に格納されている電話番号リストの削除とのいずれかを選択する（ステップＳ３０２）。
【００９８】
ユーザーが電話帳更新メニューの中から新規登録を選択した場合（ステップＳ３０３）、制御部２１１は表示部２１３に新規登録用画面を表示させる。
【００９９】
ユーザーは、表示部２１３に表示された新規登録用画面に基づいてキー入力部２１４を操作して必要な登録情報、具体的には、識別情報と電話番号情報とメールアドレス情報を入力することによって、電話番号リストの新規登録作業を行う（ステップＳ３０４）。なお、ステップＳ３０４で入力される情報は、識別情報と電話番号情報とでもよい。
【０１００】
制御部２１１は、ステップＳ３０４で入力された新たな電話番号リストを電話帳格納部２０３に格納する。
【０１０１】
ステップＳ３０２で、ユーザーが、電話帳格納部２０３に格納されている電話番号リストの変更または電話帳格納部２０３に格納されている電話番号リストの削除を選択した場合、制御部２１１は、電話帳格納部２０３に格納されている電話番号リストを表示部２１３に表示させる。
【０１０２】
ユーザーは、表示部２１３に表示されている電話番号リストの中から、変更対象の電話番号リストまたは削除対象の電話番号リストを、編集対象データとして、キー入力部２１４を操作して選択する（ステップＳ３０５）。
【０１０３】
制御部２１１は、ステップＳ３０５で選択された編集対象データを、更新データ退避エリア２０７に退避させる（ステップＳ３０６）。
【０１０４】
制御部２１１は、ステップＳ３０５で選択された電話番号リストを編集（変更または削除）するための編集用画面を表示部２１３に表示させる。ユーザーは、表示部２１３に表示された編集用画面に基づいてキー入力部２１４を操作することによって、編集対象データとなっている電話番号リストの変更作業または編集対象データとなっている電話番号リストの削除作業を行う（ステップＳ３０７）。
【０１０５】
制御部２１１は、ステップＳ３０７で電話番号リストの内容が変更された場合、変更後の電話番号リストを電話帳格納部２０３に格納し、また、ステップＳ３０７で電話番号リストの削除作業が行われた場合、削除作業の対象となった電話番号リストを電話帳格納部２０３から削除する。
【０１０６】
ステップＳ３０４の新規登録作業、またはステップＳ３０７の変更作業または削除作業が終わると、制御部２１１は、電話帳更新通知メール送信設定フラグ２０４および自動送信設定フラグ２０５の状態を判定する。
【０１０７】
電話帳更新通知メール送信設定フラグ２０４がオン状態、かつ、自動送信設定フラグ２０５がオン状態の場合（ステップＳ３０８、Ｓ３０９）、制御部２１１は、ユーザーへの確認無しに、電話帳更新通知メール作成エリア２０８で電話帳更新通知メールを作成する（ステップＳ３１２）。
【０１０８】
なお、ステップＳ３１２で作成される電話帳更新通知メールは、電話帳情報の更新種別（新規登録と変更と削除のいずれか）に応じて内容が異なる。
【０１０９】
キー入力部２１４から入力される更新情報に基づいて電話番号リストが新規に作成された場合、制御部２１１は、新規に作成された電話番号リストをパソコン１０４内の格納部１０４ａに格納させるための電話帳更新通知メールを作成する。
【０１１０】
また、制御部２１１は、電話帳格納部２０３に格納されている電話番号リストがキー入力部２１４から入力される更新情報に基づいて更新された際、更新された電話番号リストと更新前の電話番号リストとをパソコン１０４内の格納部１０４ａに格納させるための電話帳更新通知メールを作成する。
【０１１１】
また、制御部２１１は、電話帳格納部２０３に格納されている電話番号リストがキー入力部２１４から入力される削除情報に基づいて削除された際、削除された電話番号リストをパソコン１０４内の格納部１０４ａに格納させるための電話帳更新通知メールを作成する。
【０１１２】
制御部２１１は、ステップＳ３１２で作成した電話帳更新通知メールを、送信先メールアドレスエリア２０６に格納されているメールアドレス（本実施例では、図１に示したパソコン１０４に付与されているメールアドレス）へ送信する（ステップＳ３１３）。
【０１１３】
電話帳更新通知メール送信設定フラグ２０４がオン状態、かつ、自動送信設定フラグ２０５がオフ状態の場合（ステップＳ３０８、Ｓ３０９）、制御部２１１は、表示部２１３を用いて、ユーザーに対して電話帳更新通知メール送信を行うか否かの選択を促す表示、例えば、「電話帳更新通知メールの送信を行いますか？」という確認メッセージの表示を行う（ステップＳ３１０）。
【０１１４】
ユーザーがキー入力部２１４を操作して、電話帳更新通知メールを送信することを選択すると（ステップＳ３１１）、制御部２１１は、ステップＳ３１２へ進み、電話帳更新通知メール作成エリア２０８で電話帳更新通知メールを作成し、作成した電話帳更新通知メールを、送信先メールアドレスエリア２０６に格納されているメールアドレスへ送信する（ステップＳ３１３）。
【０１１５】
ステップＳ３１１で、ユーザーがキー入力部２１４を介して電話帳更新通知メールの送信を希望しないことを入力した場合、制御部２１１は、ステップＳ３１２の電話帳更新通知メールの作成およびステップＳ３１３の電話帳更新通知メールの送信は行わずに電話帳更新を終了する（ステップＳ３１４）。
【０１１６】
ステップＳ３０８で、電話帳更新通知メール送信設定フラグ２０４がオフ状態の場合、制御部２１１は、ステップＳ３１２の電話帳更新通知メールを作成およびステップＳ３１３の電話帳更新通知メールの送信は行わずに電話帳更新を終了する。
【０１１７】
図４は、制御部２１１が作成する電話帳更新通知メールの一例を示した図である。
【０１１８】
なお、本実施例では、１件分の電話番号リストに登録できる内容を、電話番号を識別するための識別情報としての氏名と電話番号３件とメールアドレス３件としてある。なお、１件分の電話番号リストに登録できる内容は、氏名と電話番号３件とメールアドレス３件に限らず、適宜変更可能である。
【０１１９】
電話番号リストを新規登録した場合の電話帳更新通知メール４０１は、subject（主題）欄４０１ａに「電話帳更新記録（新規）」と記載され、新規登録した内容、具体的には、氏名と電話番号３件とメールアドレス３件の中で図３のステップＳ３０４で新規登録された内容が、更新内容欄４０１ｂに記載される。また、更新日時欄４０１ｃには、新規登録が行われた日時が記載され、更新種別欄４０１ｄには、新規と記載される。
【０１２０】
電話帳格納部２０３に格納されている電話番号リストの内容を変更した場合の電話帳更新通知メール４０２は、subject（主題）欄４０２ａに「電話帳更新記録（変更）」と記載され、更新内容欄４０２ｂには、変更前の電話番号リストの内容を示す情報４０２ｅと変更後の電話番号リストの内容を示す情報４０２ｆとの両方が記載される。また、変更があった電話番号リストの項目の先頭にはマーク“＊”が付与される。また、更新日時欄４０２ｃには、変更が行われた日時が記載され、更新種別欄４０２ｄには、変更と記載される。
【０１２１】
電話帳格納部２０３に格納されている電話番号リストを削除した場合の電話帳更新通知メール４０３は、subject（主題）欄４０３ａに「電話帳更新記録（削除）」と記載され、削除した電話番号リストの内容が、更新内容欄４０３ｂに記載される。また、更新日時欄４０３ｃには、削除が行われた日時が記載され、更新種別欄４０３ｄには、削除と記載される。
【０１２２】
なお、制御部２１１が作成する電話帳更新通知メールは、図４に示したものに限るものではなく、適宜変更可能である。
【０１２３】
携帯電話端末１０１から送信された電話帳更新通知メールは、基地局１０２とインターネット１０３とを介して、パソコン１０４に送信される。パソコン１０４は、携帯電話端末１０１から送信された電話帳更新通知メールを格納部１０４ａに格納する。したがって、電話帳格納部２０３に格納されている電話帳情報のバックアップ用の電話帳情報を格納部１０４ａに格納することが可能となる。
【０１２４】
格納部１０４ａに格納された電話帳更新通知メールは、携帯電話端末からの取得要求に応じて、基地局１０２とインターネット１０３とを介して、携帯電話端末に送信される。なお、格納部１０４ａに格納された電話帳更新通知メールは、携帯電話端末と異なる電子機器からの取得要求に応じて、基地局１０２とインターネット１０３とを介して、取得要求を行った電子機器に送信するようにしてもよい。
【０１２５】
図５は、電話帳更新通知メールの送信を制御する、電話帳更新通知メール送信設定フラグ２０４と自動送信設定フラグ２０５と送信先メールアドレス２０６とを設定する動作を説明するためのフローチャートである。
【０１２６】
以下、図５を参照して、電話帳更新通知メール送信設定フラグ２０４と自動送信設定フラグ２０５と送信先メールアドレス２０６とを設定する動作を説明する。
【０１２７】
ユーザーが、キー入力部２１４を操作して、電話帳更新通知メール設定メニューを表示部２１３に表示させるための入力を実行すると（ステップＳ５０１）、制御部２１１は、電話帳更新通知メール設定メニューを表示部２１３に表示させる（ステップＳ５０２）。なお、表示部２１３に表示される電話帳更新通知メール設定メニューは、電話帳更新通知メール送信の有効と電話帳更新通知メール送信の無効とのいずれかを選択するための表示である。
【０１２８】
ユーザーは、キー入力部２１４を操作することによって、電話帳更新通知メール送信の有効と電話帳更新通知メール送信の無効とのいずれかを選択する（ステップＳ５０３）。
【０１２９】
ステップＳ５０３で、ユーザーが電話帳更新通知メール送信の有効を選択した場合、制御部２１１は、電話帳更新通知メール送信設定フラグ２０４をオン状態にする（ステップＳ５０４）。
【０１３０】
続いて、制御部２１１は、送信先メールアドレス入力画面を表示部２１３に表示させる。
【０１３１】
ユーザーは、キー入力部２１４を操作することによって、送信先メールアドレス入力画面に基づき、送信先メールアドレスを入力する（ステップＳ５０６）。
【０１３２】
ステップＳ５０６で、送信先メールアドレスが入力されると、制御部２１１は、自動送信設定メニューを表示部２１３に表示させる。なお、表示部２１３に表示される自動送信設定メニューは、電話帳更新通知メールの自動送信の有効と電話帳更新通知メールの自動送信の無効とのいずれかをユーザーに選択させるための表示である。
【０１３３】
ユーザーは、キー入力部２１４を操作することによって、電話帳更新通知メールの自動送信の有効と電話帳更新通知メールの自動送信の無効とのいずれかを選択する（ステップＳ５０７）。
【０１３４】
ステップＳ５０７で、ユーザーが電話帳更新通知メールの自動送信の有効を選択した場合、制御部２１１は、自動送信設定フラグ２０５をオン状態に設定する（ステップＳ５０８）。また、ステップＳ５０７で、ユーザーが電話帳更新通知メールの自動送信の無効を選択した場合、制御部２１１は、自動送信設定フラグ２０５をオフ状態に設定する（ステップＳ５０９）。
【０１３５】
ステップＳ５０８またはステップＳ５０９が終了すると、制御部２１１は、電話帳更新通知メール設定を終了する（ステップＳ５１１）。
【０１３６】
ステップＳ５０３で、ユーザーが電話帳更新通知メール送信の無効を選択した場合、制御部２１１は、電話帳更新通知メール送信設定フラグ２０４をオフ状態に設定し（ステップＳ５０９）、ステップＳ５１１へ移る。
【０１３７】
本実施例では、電話帳格納部２０３に格納されている電話帳情報がキー入力部２１４から入力される更新情報に基づいて更新された際、少なくとも更新情報を外部の格納部１０４に格納させるための電話帳更新通知メールを送信するので、更新情報を外部の格納部に格納する際にユーザーに格納動作を強いることなく、電話帳情報が更新されてから、更新情報を外部の格納部に格納するまでの時間を短くでき、外部の格納部に格納する前に更新情報が消失してしまう可能性を小さくできる。
【０１３８】
また、更新情報を外部の格納部に１件ずつ転送すれば、例えば、電話帳格納部に格納されている電話帳情報を一括して外部の格納部に転送する場合に比べて、更新情報の転送時間を短くでき、転送中に電話帳情報がノイズ等の影響を受けてしまう可能性を小さくできる。
【０１３９】
また、本実施例によれば、新規電話番号リストを電話帳格納部に格納するたびに、その新規電話番号リストを自動的に外部の格納部に格納することが可能となる。
【０１４０】
また、本実施例によれば、電話帳格納部に格納されている所望の電話番号リストの内容を変更情報に基づき変更するたびに、その変更情報を自動的に外部の格納部に格納することが可能となる。
【０１４１】
また、本実施例によれば、更新前の所望の電話番号リストと変更後の所望の電話番号リストとを外部の格納部に格納させるので、例えば、電話帳格納部への電話番号リストの更新操作を間違えて電話番号リストの内容を誤った内容に変更してしまった場合でも、外部の格納部から変更前の電話番号リストを取得することが可能になる。
【０１４２】
また、本実施例によれば、削除された所望の電話番号リストを外部の格納部に格納させるので、例えば、電話帳格納部への電話番号リストの更新操作を間違えて電話番号リストを削除してしまった場合でも、外部の格納部から誤って削除してしまった電話番号リストを取得することが可能になる。
【０１４３】
また、本実施例では、電話帳更新通知メールの自動送信を行うか否かがユーザーにより設定可能な自動送信設定フラグ２０５が設けてあるので、電話帳更新通知メールの自動送信を行うか否かを設定することが可能となる。
【０１４４】
また、電話帳更新通知メールの自動送信を行わないことが自動送信設定フラグ２０５に設定されている場合、制御部２１１は、電話帳更新通知メールをパソコン１０４内の格納部１０４ａに送信するか否かの選択を促す表示を表示部２１３に表示させるので、ユーザーは、電話帳情報を更新するごとに、更新した電話帳情報を格納部１０４ａに格納するか否かを確認することが可能となる。
【０１４５】
よって、例えば、更新した電話帳情報の中で重要なものをパソコン１０４の格納部１０４ａに格納し忘れてしまうことを防止可能となり、かつ、更新した電話帳情報の中で重要でないものをパソコン１０４の格納部１０４ａに格納するという重要度の低い動作を防止可能となる。
【０１４６】
なお、本実施例では、少なくとも更新情報を外部の格納部１０４ａに格納させるための更新情報バックアップ信号として、電子メールを用いた例を示したが、更新情報バックアップ信号は電子メールに限るものでない。
【０１４７】
ただし、更新情報バックアップ信号として電子メールを用いた場合、インターネットを介してパソコンに電子メールを送信可能な携帯電話端末であれば、パソコン側のプログラムを変更することなく、携帯電話端末のプログラム変更のみで、本実施例を容易に実現することが可能となる。
【０１４８】
以上説明した実施例において、図示した構成は単なる一例であって、本発明はその構成に限定されるものではない。
【０１４９】
例えば、電話帳更新通知メール送信設定フラグ２０４を省略してもよい。この場合、制御部２１１は、図３において、ステップＳ３０４の次にステップＳ３０９を実行し、ステップＳ３０７の次にステップＳ３０９を実行する。
【０１５０】
また、例えば、自動送信設定フラグ２０５を省略してもよい。この場合、制御部２１１は、図３において、ステップＳ３０８で電話帳更新通知メール送信設定フラグ２０４がオン状態の場合にステップＳ３１２に進む。
【０１５１】
また、例えば、電話帳更新通知メール送信設定フラグ２０４と自動送信設定フラグ２０５とを省略してもよい。この場合、制御部２１１は、図３において、ステップＳ３０４の次にステップＳ３１２を実行し、ステップＳ３０７の次にステップＳ３１２を実行する。
【図面の簡単な説明】
【０１５２】
【図１】本発明の一実施例の電話帳情報のバックアップシステムを示したブロック図である。
【図２】本発明の一実施例の携帯電話端末を示したブロック図である。
【図３】図２に示した携帯電話端末の動作を説明するためのフローチャートである。
【図４】図２に示した制御部２１１が作成する電話帳更新通知メールの例を示した説明図である。
【図５】図２に示した携帯電話端末の動作を説明するためのフローチャートである。
【符号の説明】
【０１５３】
１０１      携帯電話端末
１０２      基地局
１０３      インターネット
１０４      パソコン
１０４ａ    格納部
２０２      記憶部
２０３      電話帳格納部
２０４      電話帳更新通知メール送信設定フラグ
２０５      自動送信設定フラグ
２０６      送信先メールアドレスエリア
２０７      更新前データ退避エリア
２０８      電話帳更新通知メール作成エリア
２０９      プログラムエリア
２１０      ワークエリア
２１１      制御部
２１２      無線送受信部
２１３      表示部
２１４      キー入力部
２１５      アンテナ
【図１】
2005057477.tif 000003
【図２】
2005057477.tif 000004
【図３】
2005057477.tif 000005
【図４】
2005057477.tif 000006
【図５】
2005057477.tif 000007